(57)【特許請求の範囲】
【請求項１】
原稿台上の原稿を光による複数の走査軌跡で走査したときに、該原稿にて反射して得られる受光信号を検知する検知手段を備え、該検知手段の検出値に基づいて該原稿のサイズ及び位置を判断する原稿検知装置において、
前記検知手段の受光感度の設定値を読み書き可能に保持する記憶手段と、
前記複数の走査軌跡に対応して前記検知手段の受光感度を別々に前記記憶手段にセーブする受光感度調整手段と、
前記検知手段の走査軌跡毎に対応する受光感度が各々変更されるたびに、その変更された各々の受光感度の設定値を前記受光感度調整手段に送信する制御手段と
を備えたことを特徴とする原稿検知装置。
【請求項２】
受光感度の設定は、予め用意された複数の設定値から任意の設定値を抽出し、該設定値を受光感度として設定することを特徴とする請求項１記載の原稿検知装置。
【請求項３】
請求項２記載の原稿検知装置を備えた画像形成装置。
【請求項４】
請求項１記載の原稿検知装置を備えた画像形成装置。
【請求項５】
原稿台上の原稿の画像を読み取る画像読取部を有する画像形成装置の原稿サイズ検知装置であって、前記原稿台の下方に配置されて前記原稿台に向けて複数本の光ビームを照射するとともに、この複数本の光ビームを曲線状に走査し、前記原稿台上の原稿からの反射光を検知する原稿センサと、この原稿センサからの検知信号を基に原稿のみを検知して第１の信号を得、前記複数本の光ビームの走査開始及び走査位置を示す第２の信号を発生し、この第２の信号及び前記第１の信
号を基に前記複数本の光ビームの各走査軌跡における原稿計測データを生成する手段と、この手段からの原稿計測データを基に原稿サイズを判定する手段とを有する原稿サイズ検知装置において、前記複数本の光ビームの各受光感度を別々に調整する手段を備えたことを特徴とする原稿サイズ検知装置。
【請求項６】
請求項５記載の原稿サイズ検知装置を備え、この原稿サイズ検知装置により前記画像読取部における前記原稿台上の原稿のサイズを検知することを特徴とする画像形成装置。
【請求項７】
原稿台上の原稿の画像を読み取る画像読取部を有する画像形成装置の原稿サイズ検知装置であって、前記原稿台の下方に配置されて前記原稿台に向けて複数本の光ビームを照射するとともに、この複数本の光ビームを曲線状に走査し、前記原稿台上の原稿からの反射光を検知する原稿センサと、この原稿センサからの検知信号を基に原稿のみを検知して第１の信号を得、前記複数本の光ビームの走査開始及び走査位置を示す第２の信号を発生し、この第２の信号及び前記第１の信号を基に前記複数本の光ビームの各走査軌跡における原稿計測データを生成する手段と、この手段からの原稿計測データを基に原稿サイズを判定する手段とを有する原稿サイズ検知装置において、前記複数本の光ビームのうちの特定の光ビームの受光感度を前記複数本の光ビームのうちの特定の光ビーム以外の光ビームの受光感度との差を基に調整する手段を備えたことを特徴とする原稿サイズ検知装置。
【請求項８】
請求項７記載の原稿サイズ検知装置を備え、この原稿サイズ検知装置により前記画像読取部における前記原稿台上の原稿のサイズを検知することを特徴とする画像形成装置。
【発明の詳細な説明】
【０００１】
【発明の属する技術分野】
本発明は原稿サイズ検知装置、原稿検知装置、及び複写機、ファクシミリ等の自動原稿サイズ検知機能を有する画像形成装置に関する。
【０００２】
【従来の技術】
複写機、ファクシミリ等の画像形成装置においては、原稿サイズ検知装置にて原稿のサイズを検知して用紙トレイ等を選択している。特開平２−３０８２３６号公報には、原稿台を２本の走査光で走査して原稿からの受光信号を検知し、２本の走査光の各走査軌跡より原稿の位置情報と予め決められた設定情報とを比較して原稿のサイズや位置を判断する原稿サイズ・位置検知装置が記載されている。
【０００３】
特開平７−２９５１１６号公報には、原稿を支える部材に濃度基準板を設け、検出手段からの出力信号と比較し、濃度基準板は露光移動以外の場所に配置した複写装置が記載されている。特開平９−１６３０８３号公報には、受光手段のその中心を対称とする位置に配列された少なくとも４つの受光領域を有し、入射光を一点に集光するレンズと円筒レンズあるいはエッジを設けた原稿エッジ検出装置が記載されている。
【０００４】
また、走査の開始を示す基準信号を発生し、走査開始後の走査の位置を計測し、原稿からの反射光を最初に受光した時点の計測データおよび最後に受光した時点の計測データを原稿の両端のデータとし、原稿検知動作は原稿押さえ手段が開いているときは繰り返し行い、結果をその都度更新する原稿検知装置が提案されている。さらに、原稿の走査開始および走査光の所定間隔ごとの位置を示す基準信号を発生させ、走査光の位置を該基準信号のパルスカウント値と、該パルス間を補間するクロック信号カウント値で計測する原稿検知装置が提案されている。
【０００５】
【発明が解決しようとする課題】
原稿サイズ検知装置を搭載した複写機、ファクシミリ等の画像形成装置では、その設置位置、設置環境が、外乱光の影響を受けやすい位置・環境であると、感度が良すぎるために外乱光によるノイズの影響を受けやすくなる。また、感度が良すぎるために、圧板開の状態で画像形成を行うと、人間の体（例えば腕）を検知して、原稿サイズの誤検知が発生するという問題があった。
【０００６】
また、２本の走査光を用いて原稿のサイズや位置を判断する原稿サイズ・位置検知装置では、２本の走査光の各走査軌跡が異なるので、２本の走査光が原稿を走査してから戻る時の各光量に違いが生じる。このため、例えば、２本の走査光の受光感度を全く調整しなければ、一方の走査光がその走査軌跡で認識できる最大画像濃度が１．０であったとすると、他方の走査光がその走査軌跡で認識できる最大画像濃度が１．０以下になる。このように２本の走査光の認識できる最大濃度が異なると、原稿サイズの誤検知が生じるという問題があった。
【０００７】
請求項１、２、５、７に係る発明は、原稿サイズの誤検知を少なくすることができる原稿サイズ検知装置及び原稿検知装置を提供することを目的とする。
請求項３、４、６、８に係る発明は、原稿サイズの誤検知を少なくすることができる画像形成装置を提供することを目的とする。
【０００８】
【課題を解決するための手段】
上記目的を達成するため、請求項１に係る発明は、原稿台上の原稿を光による複数の走査軌跡で走査したときに、該原稿にて反射して得られる受光信号を検知する検知手段を備え、該検知手段の検出値に基づいて該原稿のサイズ及び位置を判断する原稿検知装置において、前記検知手段の受光感度の設定値を読み書き可能に保持する記憶手段と、前記複数の走査軌跡に対応して前記検知手段の受光感度を別々に前記記憶手段にセーブする受光感度調整手段と、前記検知手段の走査軌跡毎に対応する受光感度が各々変更されるたびに、その変更された各々の受光感度の設定値を前記受光感度調整手段に送信する制御手段とを備えたものである。
【０００９】
請求項２に係る発明は、受光感度の設定は、予め用意された複数の設定値から任意の設定値を抽出し、該設定値を受光感度として設定することを特徴とする請求項１記載の原稿検知装置である。
【００１０】
請求項３に係る発明は、請求項２記載の原稿検知装置を備えた画像形成装置である。
【００１１】
請求項４に係る発明は、請求項１記載の原稿検知装置を備えた画像形成装置である。
【００１２】
請求項５に係る発明は、原稿台上の原稿の画像を読み取る画像読取部を有する画像形成装置の原稿サイズ検知装置であって、前記原稿台の下方に配置されて前記原稿台に向けて複数本の光ビームを照射するとともに、この複数本の光ビームを曲線状に走査し、前記原稿台上の原稿からの反射光を検知する原稿センサと、この原稿センサからの検知信号を基に原稿のみを検知して第１の信号を得、前記複数本の光ビームの走査開始及び走査位置を示す第２の信号を発生し、この第２の信号及び前記第１の信号を基に前記複数本の光ビームの各走査軌跡における原稿計測データを生成する手段と、この手段からの原稿計測データを基に原稿サイズを判定する手段とを有する原稿サイズ検知装置において、前記複数本の光ビームの各受光感度を別々に調整する手段を備えたものである。
【００１３】
請求項６に係る発明は、請求項５記載の原稿サイズ検知装置を備え、この原稿サイズ検知装置により前記画像読取部における前記原稿台上の原稿のサイズを検知するものである。
請求項７に係る発明は、原稿台上の原稿の画像を読み取る画像読取部を有する画像形成装置の原稿サイズ検知装置であって、前記原稿台の下方に配置されて前記原稿台に向けて複数本の光ビームを照射するとともに、この複数本の光ビームを曲線状に走査し、前記原稿台上の原稿からの反射光を検知する原稿センサと、この原稿センサからの検知信号を基に原稿のみを検知して第１の信号を得、前記複数本の光ビームの走査開始及び走査位置を示す第２の信号を発生し、この第２の信号及び前記第１の信号を基に前記複数本の光ビームの各走査軌跡における原稿計測データを生成する手段と、この手段からの原稿計測データを基に原稿サイズを判定する手段とを有する原稿サイズ検知装置において、前記複数本の光ビームのうちの特定の光ビームの受光感度を前記複数本の光ビームのうちの特定の光ビーム以外の光ビームの受光感度との差を基に調整する手段を備えたものである。
請求項８に係る発明は、請求項７記載の原稿サイズ検知装置を備え、この原稿サイズ検知装置により前記画像読取部における前記原稿台上の原稿のサイズを検知するものである。
【００１４】
【発明の実施の形態】
図１は本発明の実施の一形態を示す。画像読取部１１は原稿台１２上に載置された原稿１３の画像を読み取り、制御手段としてのメイン制御部１４は画像読取部１１からの画像信号に所定の処理を施した後にその処理後の画像信号を画像形成部１５へ出力する。なお、像担持体はベルト状の感光体、シート状の感光体などでもよい。
【００１５】
画像形成部１５は、周知のように像担持体としてのドラム状の感光体を感光体駆動部で回転駆動して帯電器により一様に帯電させ、露光装置にてメイン制御部１４からの画像信号により変調した光信号で感光体を露光して静電潜像を形成し、この感光体上の静電潜像を現像装置で現像してトナー像とし、給紙部１６から給紙された転写材としての転写紙へ転写手段により感光体上のトナー像を転写して定着装置により転写紙上のトナー像を定着させた後、外部へ排出する。
【００１６】
給紙部１６は、各種サイズの転写紙がそれぞれ収容された複数の用紙トレイを有し、この複数の用紙トレイのうちの選択された用紙トレイから転写紙を給紙する。操作・表示部１７は、メイン制御部１４により制御されて表示部により各種表示を行い、操作部がユーザ等により操作されて各種指示等を入力する。メイン制御部１４は、操作・表示部１７等からの入力信号に基づいて画像読取部１１、画像形成部１５、給紙部１６等を制御する。
【００１７】
原稿台１２上に載置された原稿１３のサイズは走査型原稿センサ１８を有する原稿サイズ検知装置により検知される。走査型原稿センサ１８は、図２にも示すように、画像読取部１１の光学ユニット内部に配設されて原稿台１２の下方に配置される。原稿センサ１８においては、光源としての発光ダイオード１９から出射した光ビームがレンズ２０により集光されて部分反射ミラー２１の反射部２１ａで反射され、回転ミラー２２に取り付けられている傾斜角度の異なる２枚のミラー２２ａ、２２ｂで反射されることにより２本の光ビームとなる。ここに、発光ダイオード１９は、図示しない電源駆動部により所定周波数、例えば４０ＫＨｚの駆動信号で駆動されて４０ＫＨｚの光ビームを発射する。
【００１８】
回転ミラー２２及びエンコーダ２４は回転駆動部２５により回転駆動され、ミラー２２ａ、２２ｂは部分反射ミラー２１の反射部２１ａからの光ビームを半回転毎に交互に反射することで、２本の光ビーム２６、２７を交互に発生させる。図３に示すように、原稿台１２は左端（左右方向の左端）１２ａ及び後端（前後方向の後端）１２ｂが原稿載置基準であり、各サイズの原稿１３は原稿台１２上に左端及び後端が原稿台１２の左端１２ａ及び後端１２ｂに合わせて載置される。原稿台１２の原稿載置基準とは異なる前端に隣接して自動用紙選択（ＡＰＳ）用の基準板２８が設置される。また、図６に示すように原稿１３は原稿台12上に載置された後に圧板３８が被せられて押さえられる。
【００１９】
ミラー２２ａ、２２ｂからの２本の光ビーム２６、２７は、ミラー２２ａ、２２ｂにより走査されて基準板２８、原稿台１２上の原稿１３、圧板３８に照射され、その反射光がミラー２２ａ、２２ｂを経由して部分反射ミラー２１及びシリンドリカルレンズ２９を通り受光素子３０で受光されて検出される。２本の光ビーム２６、２７の走査軌跡３６、３７は角度の異なる２枚のミラー２２ａ、２２ｂによる２本の光ビーム２６、２７の走査で各々曲線状となる。
【００２０】
駆動回路３０は、発光ダイオード１９を駆動して発光させ、
信号処理手段としての信号処理回路３１からの制御信号により制御される。駆動回路３２は、回転駆動部２５を駆動し、信号処理回路３１からの制御信号により制御される。検出回路３３は受光素子３０の出力信号を検出して信号処理回路３１へ出力し、検出回路３４はエンコーダ２４の出力信号を検出して信号処理回路３１へ出力する。
【００２１】
ここに、光ビーム２２ａ、２２ｂはシリンドリカルレンズ２９により非点収差が発生し、光ビーム２２ａ、２２ｂが原稿１３で反射されたものであるか否かによって受光素子３０上のスポット波形が変化する。受光素子３０は例えば多分割受光素子（４分割受光素子）が用いられ、原稿分区別手段としての検出回路３３は受光素子３０の出力信号が原稿１３で反射された光ビームによる受光信号であるかどうかを判断して原稿１３で反射された光ビームによる受光信号（原稿分）のみを区別して検出する。
【００２２】
受光感度調整回路３５は、信号処理回路３１からの信号に基づいて画像センサ１８の受光感度を設定値に調整する。マイクロコントローラからなる制御部３９は、メイン制御部１４と信号のやり取りを行い、信号処理回路３１へ制御信号を出力するとともに、信号処理回路３１から原稿サイズデータを取り込む。
【００２３】
光ビーム２６、２７はミラー２２ａ、２２ｂによりその半回転毎に走査されて交互に発生するが、光ビーム２６、２７とも基準板２８が走査されるタイミングからＳＴ信号が出力されると同時に走査が開始されて原稿サイズ計測が開始され、原稿端検知で原稿サイズ計測が終了する。ＳＴ信号は、エンコーダ２４からの信号であり、図４に示すように光ビーム２６、２７が基準板２８を通過するタイミングより光ビーム２６、２７の走査開始及び走査位置を示す信号として出力されるようにメカ的に構成されている。
【００２４】
信号処理回路３１がエンコーダ２４からＳＴ信号を受信すると、一連の原稿サイズ検知処理が開始され、光ビーム２６、２７が基準板２８から原稿位置に向かって走査される。２本の光ビーム２６、２７を受光する受光素子３０から検出回路３３を介して信号処理回路３１に入力される受光信号は１つの信号であり、この受光信号（ＲＣＶ信号）は各光ビーム２６、２７でそれぞれ原稿を検出できる十分な距離分、生成される。
【００２５】
原稿センサ１８の受光感度の調整とは、どれほどの受光光量でＲＣＶ信号を発生させるかを調整することである。例えば、光沢があって汚れの少ない原稿を主に使用する環境においては、画像センサ１８の受光感度は低めが良い。画像センサ１８の受光感度が高ければ、例えば原稿を原稿台１２にセットする過程における図６に示すような原稿台１２上の２０ｍｍ〜２５ｍｍの高さにおいてもＲＣＶ信号が発生し、原稿サイズ誤検知の原因となる。
【００２６】
また、新聞紙のように光沢が少ない原稿を主に使用する環境においては、画像センサ１８の受光感度は高めが良い。例えば図６に示すように原稿１３を原稿台１２にセットする過程における原稿台１２上の２０ｍｍ〜２５ｍｍの高さでは、原稿の光沢が少なくてその反射光量が少ないため、ＲＣＶ信号は発生しにくい。逆に、原稿台１２に原稿１３をセットしたときに光沢の少ない原稿に光ビームを当ててその反射光を検知するためには画像センサ１８の受光感度は高めでなければならない。
【００２７】
このように原稿センサ１８の受光感度を調整する場合、原稿センサ１８の受光感度調整モードに入り、原稿センサ１８の受光感度を最適な受光感度になるように調整する。本実施形態では、複数段階の受光感度閾値を設けており、例えば図８に示すように原稿センサ１８の受光感度は１〜５の５段階の受光感度のうちのいずれかの受光感度に調整することが可能である。例えば原稿センサ１８の受光感度を最強の受光感度に調整する場合には、最強の受光感度データが受光感度調整回路３５から原稿センサ１８へ送信され、原稿センサ１８が出力するＲＣＶ信号の発生の受光感度閾値が下げられる。受光感度閾値が下がれば、僅かな受光光量でも画像センサ１８がＲＣＶ信号を発生させる。
【００２８】
信号処理回路３１は、エンコーダ２４からＳＴ信号を受信すると、一連の原稿サイズ検知処理を開始し、受光素子３０から検出回路３３を介して入力されるＲＣＶ信号により原稿の有無を認識するとともに、ＲＣＶ信号が４０ＫＨｚの周波数を有しているかどうかにより、原稿１３からの光ビームによる受光信号であるか原稿１３以外からの光ビームによる受光信号であるかを認識して外乱光受信の認識処理を行う。
【００２９】
信号処理回路３１は、原稿１３からの光ビームによる受光信号を基に原稿サイズを判定し、つまり、原稿１３からの光ビームによる受光信号を基に走査軌跡３６と走査軌跡３７の計測値（原稿載置基準１２ａ、１２ｂからの大きさ）の大小関係を判断して原稿１３の縦と横の大きさの大小関係を判断することで原稿１３の向きを判定し、走査軌跡３７の計測値により原稿１３のサイズを判定し、これらの判定結果を制御部３９を介してメイン制御部１４へ送る。
【００３０】
メイン制御部１４は、その送られてきた判定結果（原稿の向き及び原稿サイズ）を基に給紙部１６内の複数の用紙トレイから１つの用紙トレイを選択する。すなわち、メイン制御部１４は、倍率モードが等倍モードであるときには上記判定結果の原稿サイズ（原稿の向き及び原稿サイズ）と同じサイズの転写紙が格納されている用紙トレイを選択し、倍率モードが変倍モードであるときには上記判定結果の原稿サイズ（原稿の向き及び原稿サイズ）を変倍したサイズと同じサイズの転写紙が格納されている用紙トレイを選択する。
【００３１】
図７は本実施形態の受光感度設定フローを示す。制御部３９は、電源オン時には読み書き可能なＲＯＭに書き込んである受光感度の設定値をリードして感度調整装置（受光感度調整回路３５）へ信号処理回路３１を介して送信し、受光感度調整回路３５が原稿センサ１８の受光感度をその受光感度の設定値に設定する。
【００３２】
この受光感度の初期設定の後には、制御部３９は、原稿センサ１８の受光感度の設定値が操作・表示部１７により変更されるたびに、その変更された原稿センサ１８の受光感度の設定値を感度調整装置（受光感度調整回路３５）へ信号処理回路３１を介して送信した後にＲＯＭにその受光感度の設定値をセーブし、受光感度調整回路３５が原稿センサ１８の受光感度をその受光感度の設定値に設定する。
【００３３】
原稿センサ１８の受光感度の設定値は、出荷時にデフォルト値が読み書き可能なＲＯＭに書き込まれるが、ユーザの使用する環境に合わせて最適な設定値がサービスマンにより設定されたりユーザ自身で設定されたりする。
【００３４】
この第１の実施形態によれば、原稿台１２上の原稿の画像を読み取る画像読取部１１を有する画像形成装置であって、前記原稿台１２の下方に配置されて前記原稿台１２に向けて複数本の光ビーム２６、２７を照射するとともに、この複数本の光ビーム２６、２７を曲線状に走査し、前記原稿台１２上の原稿１３からの反射光を検知する原稿センサ１８と、この原稿センサ１８からの検知信号を基に原稿のみを検知して第１の信号としてのＲＣＶ信号を得、前記複数本の光ビーム２６、２７の走査開始及び走査位置を示す第２の信号としてのＳＴ信号を発生し、この第２の信号及び前記第１の信号を基に前記複数本の光ビーム２６、２７の各走査軌跡３６、３７における原稿計測データを生成する手段としてのエンコーダ２４、検出回路３３、３４及び信号処理回路３１と、この手段からの原稿計測データを基に原稿サイズを判定する手段としての信号処理回路３１とを有する原稿サイズ検知装置を具備し、前記光ビーム２６、２７の受光領域をソフト的に調整する手段としての受光感度調整回路３５を備えたので、原稿センサの受光感度を最適な感度に調整することができ、原稿サイズの誤検知を減少させることができる。
【００３５】
上記第１の実施形態においては、図３に示すように光ビーム２６の走査軌跡３６と光ビーム２７の走査軌跡３７とはミラー２２ａ、２２ｂの角度により約１０ｍｍの差がある。この約１０ｍｍの差のために、同一の受光感度で走査軌跡３６の光ビーム２６と走査軌跡３７の光ビーム２７とを受光素子３０で受光していては、光ビーム２６と光ビーム２７とで受光できる原稿の濃度値に差が生じる。
【００３６】
例えば、Ａ４サイズの原稿１３を図５に示すように原稿台１２上に載置した場合、走査軌跡３６の光ビーム２６で検知できるＡ４サイズ原稿１３の最大濃度値が１．０２で、走査軌跡３７の光ビーム２７で検知できるＡ４サイズ原稿１３の最大濃度値が０．９５となることがある。このような受光感度の差は原稿サイズ誤検知の発生の原因になる。
【００３７】
そこで、本発明の第２の実施形態では、上記第１の実施形態において、原稿センサ１８の各走査軌跡３６、３７に対する受光感度を別々に調整する受光感度調整モードを設けている。この受光感度調整モードでは、制御部３９は、原稿センサ１８における走査軌跡３６の光ビーム２６に対する受光感度の設定値と、走査軌跡３７の光ビーム２７に対する受光感度の設定値とが操作・表示部１７により各々別々に変更されるたびに、その変更された原稿センサ１８における走査軌跡３６の光ビーム２６に対する受光感度の設定値と、走査軌跡３７の光ビーム２７に対する受光感度の設定値とを感度調整装置（受光感度調整回路３５）へ信号処理回路３１を介して送信した後にＲＯＭにその走査軌跡３６の光ビーム２６に対する受光感度の設定値と、走査軌跡３７の光ビーム２７に対する受光感度の設定値をセーブする。
【００３８】
受光感度調整回路３５は、制御部３９から信号処理回路３１を介して送信されてきた走査軌跡３６の光ビーム２６に対する受光感度の設定値と、走査軌跡３７の光ビーム２７に対する受光感度の設定値により、原稿センサ１８の走査軌跡３６の光ビーム２６に対する受光感度と、走査軌跡３７の光ビーム２７に対する受光感度とをそれぞれ走査軌跡３６の光ビーム２６に対する受光感度の設定値と、走査軌跡３７の光ビーム２７に対する受光感度の設定値に設定する。
【００３９】
本実施形態では、原稿センサ１８における走査軌跡３６の光ビーム２６に対する最大受光感度と、走査軌跡３７の光ビーム２７に対する最大受光感度とを図９に示すように１〜１０の１０段階の受光感度のうちのいずれかの受光感度に調整することが可能である。
【００４０】
この第２の実施形態によれば、複数本の光ビーム２６、２７の各受光感度を別々に調整する手段としての制御部３９及び受光感度調整回路３５を備えたので、各光ビームが異なる走査軌跡を走査することによる原稿サイズの誤検知を減少させることができる。
【００４１】
本発明の第３の実施形態では、上記第２の実施形態において、受光感度調整モードにおいて、原稿センサ１８における走査軌跡３６の光ビーム２６に対する受光感度を基準として、走査軌跡３７の光ビーム２７に対する受光感度と、査軌跡３６の光ビーム２６に対する受光感度との差を設定するようにしたものである。
【００４２】
すなわち、受光感度調整モードにおいては、制御部３９は、原稿センサ１８における走査軌跡３６の光ビーム２６に対する受光感度の設定値と、走査軌跡３７の光ビーム２７に対する受光感度の設定値との差が操作・表示部１７により各々別々に変更されるたびに、その変更された原稿センサ１８における走査軌跡３６の光ビーム２６に対する受光感度の設定値と、走査軌跡３７の光ビーム２７に対する受光感度の設定値との差だけ走査軌跡３７の光ビーム２７に対する受光感度の設定値を変更して感度調整装置（受光感度調整回路３５）へ信号処理回路３１を介して送信した後にＲＯＭにその変更した走査軌跡３７の光ビーム２７に対する受光感度の設定値をセーブする。
【００４３】
受光感度調整回路３５は、制御部３９から信号処理回路３１を介して送信されてきた原稿センサ１８における走査軌跡３７の光ビーム２７に対する受光感度を、制御部３９から信号処理回路３１を介して送信されてきた走査軌跡３７の光ビーム２７に対する受光感度の設定値に設定する。
【００４４】
本実施形態では、原稿センサ１８における走査軌跡３６の光ビーム２６に対する最大受光感度と、走査軌跡３７の光ビーム２７に対する最大受光感度との差を調整することで査軌跡３７の光ビーム２７に対する最大受光感度を図１０に示すように１〜１０の１０段階の受光感度のうちのいずれかの受光感度に調整することが可能である。
【００４５】
例えば、原稿センサ１８における走査軌跡３６の光ビーム２６に対する最大受光感度が０．９５であり、走査軌跡３７の光ビーム２７に対する最大受光感度が１．０２であったときには、その差ｋ０．０７（＝１．０２−０．９５）が縮まるように走査軌跡３７の光ビーム２７に対する最大受光感度を調整することができる。
【００４６】
この第３の実施形態によれば、前記複数本の光ビーム２６、２７のうちの特定の光ビーム２６の受光感度を前記複数本の光ビーム２６、２７のうちの特定の光ビーム２６以外の光ビーム２７の受光感度との差を基に調整する手段としての制御部３９及び受光感度調整回路３５を備えたので、各光ビームが異なる走査軌跡を走査することによる原稿サイズの誤検知を減少させることができる。
なお、本発明は、上記実施形態に限定されるものではなく、例えば光ビーむは３本以上であってもよい。
【００４７】
【発明の効果】
以上のように請求項１、２に係る発明によれば、上記構成により、各光ビームが異なる走査軌跡を走査することによる原稿のサイズ及び位置の誤検知を減少させることができる。
請求項３，４に係る発明によれば、上記構成により、各光ビームが異なる走査軌跡を走査することによる原稿のサイズ及び位置の誤検知を減少させることができる。
【００４８】
請求項５に係る発明によれば、上記構成により、各光ビームが異なる走査軌跡を走査することによる原稿サイズの誤検知を減少させることができる。
請求項６に係る発明によれば、上記構成により、各光ビームが異なる走査軌跡を走査することによる原稿サイズの誤検知を減少させることができる。
【００４９】
請求項７に係る発明によれば、上記構成により、各光ビームが異なる走査軌跡を走査することによる原稿サイズの誤検知を減少させることができる。
請求項８に係る発明によれば、上記構成により、各光ビームが異なる走査軌跡を走査することによる原稿サイズの誤検知を減少させることができる。
【図面の簡単な説明】
【図１】本発明の実施の一形態を示す概略図である。
【図２】同実施形態の画像センサ付近を示す斜視図及び同画像センサの回転ミラーを示す断面図である。
【図３】同実施形態における原稿台上の原稿載置及び原稿センサによる基準板・原稿走査を説明するための平面図である。
【図４】同実施形態の動作タイミングを示すタイミングチャートである。
【図５】同実施形態を説明するための平面図である。
【図６】同実施形態の現行台付近を示す正面図である。
【図７】同実施形態の受光感度設定フローを示すフローチャートである。
【図８】同実施形態の操作・表示部の表示部分を示す平面図である。
【図９】本発明の他の実施形態における操作・表示部の表示部分を示す平面図である。
【図１０】本発明の別の実施形態における操作・表示部の表示部分を示す平面図である。
【符号の説明】
１１      画像読取部
１２      原稿台
１８      原稿センサ
２４      エンコーダ
３３、３４      検出回路
３１      信号処理回路
３５      受光感度調整回路
３５      制御部
【図１】
0003702127.tif 000002
【図２】
0003702127.tif 000003
【図３】
0003702127.tif 000004
【図４】
0003702127.tif 000005
【図５】
0003702127.tif 000006
【図６】
0003702127.tif 000007
【図７】
0003702127.tif 000008
【図８】
0003702127.tif 000009
【図９】
0003702127.tif 000010
【図１０】
0003702127.tif 000011